(57)【要約】【課題】内部の半導体チップの一部が短絡故障を起こした場合であっても、外装の破裂の虞を抑制した半導体パッケージを提供する。【解決手段】半導体パッケージは、サブモジュール（１）を固定する金属製の冷却器（３）と、冷却器（３）に固定される樹脂製の外周側壁（４）と、外周側壁（４）に固定される金属製の上板（５）を備える。冷却器（３）と外周側壁（４）は、締結部材（６ａ）により締結され、上板（５）と外周側壁（４）は、締結部材（６ｂ）により締結される。サブモジュール内の圧力が急激に上昇した場合には、上板（５）全体が大きく湾曲しながら変形し、内圧の上昇による半導体パッケージの破壊を防止する。
2020070899.tif 000002
【特許請求の範囲】
【請求項１】
内部に半導体チップを有する複数のサブモジュールを有し、  電気的に並列接続された前記サブモジュールを内包する半導体パッケージにおいて、  前記サブモジュールと対になり、前記サブモジュールを支持する電極ポストと、  前記電極ポストを一方の面に固定する平板状の金属製の台座と、  前記台座より立設し、前記複数のサブモジュールの周囲を囲う樹脂製の外周側壁と、  前記外周側壁が形成する開口を塞ぐ金属製の上板と、  前記台座と前記外周側壁を締結により固定する第１締結部材と  前記上板と前記外周側壁を締結により固定する第２締結部材と、  を備え、  前記台座、外周側壁、及び上板は、複数の前記サブモジュールを内包する空間を密閉していること、  を特徴とすることを特徴とする半導体パッケージ。
【請求項２】
前記台座と前記外周側壁、及び前記上板と前記外周側壁の少なくとも一方は、前記締結部材による締結とともに、接着剤で接着されていること、  を特徴とする請求項１記載の半導体パッケージ。
【請求項３】
前記外周側壁は、  前記台座または前記上板と接触する前記外周側壁の接触面の一部を削る切欠き部を備え、  前記切欠き部には、前記接着剤が硬化することで形成される接着剤硬化層が形成されることを特徴とする請求項２に記載の半導体パッケージ。
【請求項４】
前記サブモジュールは、前記半導体チップの実装平面において、  前記半導体チップを中心に放射状に延長した延長面の少なくとも一部には、金属製の噴出方向規制部材が配置されることを特徴とする請求項１乃至３のいずれか１項に記載の半導体パッケージ。
【請求項５】
前記サブモジュールは、前記半導体チップの実装平面に対して平行、且つ前記半導体チップの上下に配置される２枚の電極と、  前記２枚の電極を挟んで配置される２枚の金属板を有する電極離間抑制部材と、  を備え、  前記噴出方向規制部材は、前記電極離間抑制部材の１つであり、電極離間抑制部材である２枚の金属板の相対位置を固定することを特徴とする請求項４に記載の半導体パッケージ。
【請求項６】
前記電極離間抑制部材は、１面に開口を設けた開放面を有する金属製の直方体であり、  前記噴出方向規制部材は、開放面と対向する前記直方体の１つの面であり、  前記２枚の金属板は、前記噴出方向規制部材となる前記直方体の１つの面から立設する４つ面のうち、平行となる２つの面を構成する金属板であること、  を特徴とする請求項５に記載の半導体パッケージ。
【請求項７】
前記半導体チップの実装平面において、  前記半導体チップを中心に放射状に延長した延長面の少なくとも一部には、金属部材が配置されない開放面を有し、  前記開放面と前記外周側壁との間に他のサブモジュールを配置したこと、  を特徴とする請求項１乃至６の何れか１項に記載の半導体パッケージ。
【請求項８】
前記上板及び前記台座の少なくとも一方は、端部もしくは内部の一部が屈曲する屈曲部を備えること、  を特徴とする請求項１乃至７の何れか１項に記載の半導体パッケージ。
【請求項９】
前記上板及び前記台座の少なくとも一方は、端部もしくは内部の一部に突出部を備えること、  を特徴とする請求項１乃至８の何れか１項に記載の半導体パッケージ。
【請求項１０】
前記外周側壁において、  前記前記上板及び前記台座との接触面の少なくとも一方には、前記突出部と嵌合する凹部が形成されること、  を特徴とする請求項９に記載の半導体パッケージ。
【請求項１１】
前記凹部の内部には、前記突出部が挿入されると共に接着剤硬化層が形成されること、  を特徴とする請求項１０に記載の半導体パッケージ。
【発明の詳細な説明】
【技術分野】
【０００１】  本発明の実施形態は、半導体素子を搭載した半導体パッケージに関する。
【背景技術】
【０００２】  数キロボルト（ｋV）の高電圧や、数キロアンペア（ｋA）の大電流を取り扱う半導体装置では、動作時の温度上昇を極力抑制することが求められ、スイッチング素子を多数並列接続して動作させる場合がある。【０００３】  この動作の為に、少なくとも１つのスイッチング素子からなるサブモジュールを複数並列に接続し、単一のパッケージとした半導体パッケージがある。このような半導体パッケージでは、低熱抵抗を実現するとともに、高い信頼性の確保が求められる。
【先行技術文献】
【特許文献】
【０００４】
【特許文献１】特許第３２５８２００号公報
【特許文献２】特許第４３８５３２４号公報
【発明の概要】
【発明が解決しようとする課題】
【０００５】  上記のような半導体パッケージに含まれるサブモジュールでは、半導体チップは樹脂により封止されている。何らかの要因により半導体チップが短絡故障を起こすと、半導体チップに大電流が流れ込み、半導体チップが破裂する可能性がある。この場合には、サブモジュール内の部品の溶融や気化によって、半導体チップを封止する樹脂に大きな破裂が生じると共に、破裂部分より内容物が高圧で噴出する。【０００６】  半導体パッケージにおいて、サブモジュールが配置される空間は密閉された空間である。サブモジュールから内容物が高圧噴出すると、密閉空間の圧力が急激に高まり、半導体パッケージの外装を破裂する虞がある。【０００７】  半導体チップの短絡故障による外装の破裂は、噴出したサブモジュールの内容物が半導体パッケージ外部へ流出の原因となるだけでなく、安全性や運転継続性の観点からも好ましくない。【０００８】  本実施形態の半導体パッケージは、内部の半導体チップの一部が短絡故障を起こした場合であっても、外装の破裂の虞を抑制した半導体パッケージを提供する。
【課題を解決するための手段】
【０００９】  実施形態に係る半導体パッケージは、内部に半導体チップを有する複数のサブモジュールを有し、電気的に並列接続された前記サブモジュールを内包する半導体パッケージにおいて、前記サブモジュールと対になり、前記サブモジュールを支持する電極ポストと、前記電極ポストを一方の面に固定する平板状の金属製の台座と、前記台座より立設し、前記複数のサブモジュールの周囲を囲う樹脂製の外周側壁と、前記外周側壁が形成する開口を塞ぐ金属製の上板と、前記台座と前記外周側壁を締結により固定する第１締結部材と前記上板と前記外周側壁を締結により固定する第２締結部材と、を備え、前記台座、外周側壁、及び上板は、複数のサブモジュールを内包する空間を密閉していること、を特徴とする。
【図面の簡単な説明】
【００１０】
【図１】第１実施形態における半導体パッケージの構成を示す断面図である。
【図２】第１実施形態におけるサブモジュールの構成を示す斜視図である。
【図３】第１実施形態における半導体パッケージ内部の上面図である。
【図４】第１実施形態における半導体パッケージの構成を示す断面図である。
【図５】内容物が噴出した様子を示すサブモジュールの断面図である。
【図６】開放面から噴出した内容物が外周側壁に与える圧力と距離の関係を示した図である。
【図７】半導体パッケージ１００内部に圧力がかかったときの上板厚さと応力の関係を示す半導体パッケージの断面図である。
【図８】破裂したサブモジュールと外周側壁の距離と外周側壁が受ける応力との関係を示すグラフである。
【図９】第２実施形態における半導体パッケージの断面図である。
【図１０】第２実施形態における半導体パッケージの断面図である。
【図１１】第３実施形態における半導体パッケージの断面図である。
【図１２】他の実施形態における半導体パッケージの断面図である。
【発明を実施するための形態】
【００１１】  以下、実施形態について図面を参照しながら説明する。図面中の同一部分には、同一番号を付してその詳しい説明は適宜省略し、異なる部分について説明する。なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。また、説明の便宜上、あえて厳密な断面図とせず、部分的に簡略な表現方法を用いる場合もある。
【００１２】［１．第１実施形態］［１−１．構成］  図１は、第１実施形態における半導体パッケージの構成を示す断面図であり、図２は、第１実施形態におけるサブモジュールの構成を示す斜視図である。図３は、第１実施形態における半導体パッケージ内部の上面図である。
【００１３】  図１に示すように、半導体パッケージ１００は、内部に半導体チップを有するサブモジュール１を複数配置する。サブモジュール１は、電気的に並列接続されることで単一の半導体パッケージ１００を構成する。半導体パッケージ１００は、電極ポスト２、台座となる冷却器３、外周側壁４、上板５を備える。冷却器３、外周側壁４、上板５は、締結部材６により固定することで、サブモジュール１が配置される空間を密閉する。サブモジュール１は、バスバー７を介して電極端子１１を電気的に接続する。
【００１４】  サブモジュール１は、内部に半導体チップ２１を収納している。半導体チップ２１は、例えば電力変換に用いられるパワー半導体素子を含む。そのようなパワー半導体素子は、例えばＩＧＢＴ（Insulated Gate Bipolar Transistor）、ＭＯＳＦＥＴ（Metal Oxide Semiconductor Field Effect Transistor）等の制御電極を有するスイッチング素子、またはＦＲＤ（Fast Recovery Diode）等のダイオードである。１つのサブモジュール１内に、スイッチング素子のチップとダイオードのチップとが混在していてもよい。
【００１５】  図２に示すように、サブモジュール１は、半導体チップ２１の両面に接合された電極板２２を金属製の補強ケース２３の内部に収めて、全体を樹脂２４で封止している。サブモジュール１は、通電経路としてバスバー７に接続するための電極端子１１を有している。電極端子１１は、２枚の電極板２２のうちの片方の電極板（以降、電極板２２ａとする。）と接続する。また、半導体チップ２１がスイッチング素子である場合には、半導体チップ２１に信号を伝達するためのゲートコネクタ２５が突出している。
【００１６】  サブモジュール１のうち一面は、補強ケース２３のケース開放面２６となっている。このケース開放面２６からは、電極端子１１やゲートコネクタ２５が延び、サブモジュール１の外部に突き出している。
【００１７】  図３は、半導体パッケージ１００を上から見た内部レイアウトの模式図である。図３に示すように、半導体パッケージ１００の内部では、バスバーを介して多数のサブモジュール１を電気的に並列に接続して実装している。
【００１８】  バスバー７は、半導体パッケージ１００内のサブモジュール１の電極端子１１を電気的に接続する。バスバー７は、ケース開放面２６が互いに対向するように配置される２つのサブモジュール１の間に配置される主軸と、主軸同士を接続する接続軸とからなる。多数のサブモジュール１は、外周側壁４に覆われた１つのエリア（図３のエリアＥ）に纏まって配置される。
【００１９】  また、サブモジュール１のケース開放面２６と外周側壁４の間に、遮蔽物となる介在物が配置される向きに実装している。図３において、介在物は、他のサブモジュール１である。各サブモジュール１のケース開放面２６が互いに対向するように配置しているため、全てのサブモジュール１においては、ケース開放面２６と外周側壁４との間に他のサブモジュール１が介在する。
【００２０】  図１へ戻り、冷却器３は、高い導電率及び熱導電率を有する金属材料からなる。また、金属製であるため、一般の樹脂素材より高い剛性及び延性を有している。冷却器３は、鉄、ステンレス鋼、銅、またはアルミニウムを主成分として含む。
【００２１】  冷却器３は、平板形状の部材であり、平板の一方の面には、複数の電極ポスト２が固定される。電極ポスト２は、導電率、熱導電率が高い材料からなる柱状の部材である。電極ポスト２の一方の端部は冷却器３に対して固定され、他方の端部はサブモジュール１内に埋没する。なお電極ポスト２は、冷却器３と一体構造となっていてもよい。サブモジュール１内で電極ポスト２は、半導体チップ２１の片面と電気的に接続され、電極端子１１が接続されない電極板２２（以降、電極板２２ｂとする。）と接触する。つまり、冷却器３は、電極ポスト２を介してサブモジュール１と機械的、電気的に接合されており、サブモジュール１内で発生した熱を放熱する放熱体、及び半導体チップ２１の電極として機能する。
【００２２】  冷却器３の厚さは、内部に空隙を形成可能な厚さとする。冷却器３内部の空隙には、純水などの冷却液を循環させることで、冷却器３から熱を放散させても良い。冷却器３の電極ポスト２が固定される面とは反対の面に、冷却フィンを設けても良い。冷却フィンは、伝熱面積を広げるために設けられ、熱の放散効率を向上させる。
【００２３】  また、冷却器３の電極ポスト２が固定される面には、絶縁樹脂８が充填される。絶縁樹脂８は、冷却器３とバスバー７との間にも充填され、冷却器３とバスバー７とを絶縁する。
【００２４】  外周側壁４は、冷却器３の電極ポスト２が固定される面より、立設する樹脂部材である。外周側壁４は、複数のサブモジュール１が配置されるエリアＥの周囲を隙間なく覆う形状である。外周側壁４は、冷却器３に対してボルト等の締結部材６ａで締結される。外周側壁４と冷却器３とを締結する締結部材６ａが、請求項における第１締結部材となる。
【００２５】  図４は、第１実施形態における半導体パッケージの構成を示す断面図である。図４に示すように、外周側壁４の一部に切欠きを設けて、その切欠き部にシール接着剤９を周状に巡らせて接着する。外周側壁４と冷却器３との接触面の一部を切り取ることで、接触面とは高さが異なる段差を作成することで、切欠きを形成しても良い。外周側壁４は、エリアＥの周囲を隙間なく覆っているため、切欠きもエリアＥの周囲を覆う。また、シール接着剤９が硬化した後には、シール接着剤９が硬化することで形成される接着剤硬化層が形成される。接着剤硬化層も切欠き内に存在しながら、エリアＥの周囲を覆う。シール接着剤９としては、接着強度、耐久性を踏まえて、例えば、シリコン系接着剤、エポキシ系接着剤を利用することが可能である。特にシリコーン接着剤（ＴＳＥシリーズ）等が望ましい。
【００２６】  上板５は、冷却器３と比較すると厚さの薄い薄板形状の部材である。上板５は、冷却器３と同様に、金属材料であり、一般の樹脂素材より高い剛性及び延性を有している。上板５は、鉄、ステンレス鋼、またはアルミニウムを主成分として含む。
【００２７】  外周側壁４は、エリアＥの周囲を隙間なく覆うため、外周側壁４は内側にエリアＥを含み、両端が開口した筒部材とも言い換えることができる。外周側壁４の開口の一方には台座が固定され、他方の開口は上板５が固定される。
【００２８】  上板５は、外周側壁４に対してボルト等の締結部材６ｂで締結される。上板５と外周側壁４とを締結する締結部材６ｂが、請求項における第２締結部材となる。また、外周側壁４の上板５との接触面には、台座の接触面と同様に、切欠きを設ける。切欠きには、シール接着剤９を周状に巡らせて接着する。
【００２９】  締結部材６ａ、締結部材６ｂ及びシール接着剤９を用いることで、台座と外周側壁４、及び上板５と外周側壁４とは、気密性を有する状態で接合している。つまり、台座、外周側壁４及び上板５で囲われ、サブモジュール１を内包する空間は密閉される。
【００３０】［１−２．作用効果］  以上のような本実施形態の半導体装置では、半導体チップ２１の短絡故障の際の電極板２２ａ、２２ｂの離間の防止と、サブモジュール１から噴出する内容物によるサブモジュール１内の圧力上昇や噴出物の直接的な影響による半導体パッケージの破壊を防止する。以下、それぞれの観点から作用効果を説明する。
【００３１】（電極板の離間防止）  本実施形態の半導体装置は、補強ケース２３を有する。補強ケース２３は、半導体チップ２１の短絡故障の際に電極板２２ａと電極板２２ｂとの離間を防止する電極離間抑制部材となると共に、故障の際にサブモジュール１から噴出する内容物の噴出方向を規制する噴出方向規制部材となる。例えば、何らかの要因により半導体チップ２１が短絡故障を起こし、半導体チップ２１に大電流が流れ込み、これにより半導体チップ２１が破裂した場合、半導体チップ２１が破裂により発生した破裂力によって、上下の電極板２２が離間する向きに荷重を受ける。
【００３２】  半導体チップ２１が短絡故障して破裂した際における上下電極板２２の離間に関しては、サブモジュール１の内部に配設された金属製の補強ケース２３が、その剛性によって電極板２２の離間を抑制する。つまり、補強ケース２３は、１面にケース開放面２６を有する金属製の直方体である。ケース開放面２６と対向する面に対して立設する面（後述の噴出方向規面）の端部より立設する４つの面のうち、平行となる２つの面が電極離間抑制部材となり、電極板２２が上下方向へ離れることを防止している。すなわち、２つ電極を上下方向から挟む電極離間抑制部材とそれらの相対位置を固定する補強ケース２３の側面により、半導体チップ２１が短絡故障した後でも、２つの電極間の距離が変化することは無い。これにより、故障箇所近傍の接合部材（はんだ）や電極板２２が溶融・凝固し、導通状態を維持することができる。
【００３３】（内圧上昇による半導体パッケージの破壊防止）  また、半導体チップ２１が破裂した場合、内部部品の溶融・気化によってサブモジュール１の内部で大きな破裂が生じ、内容物が高圧でサブモジュール１から噴出される。
【００３４】  サブモジュール１のケース開放面２６からはサブモジュール１内部で高圧となった内容物が図５に示すように噴出する。図５は、内容物が噴出した様子を示すサブモジュールの断面図である。サブモジュール１からの噴出圧力は、数十ＭＰａにも及ぶ圧力となり、半導体パッケージ１００内部の圧力を数百ｋＰａ上昇させるほどの圧力が生じる。仮にこの圧力を、絶縁性は高いが脆性材料である樹脂ケースのみで破断なく抑えようとした場合には、上板５を非常に厚く設計する必要があり、半導体パッケージ１００の大型化や重量化を避けられなくなる。
【００３５】  図６は、ある条件において上板５を樹脂で構成した際に半導体パッケージ１００内部に圧力がかかったときの上板厚さと応力の関係を導出したものである。この結果から、上板５を樹脂で構成した場合には、少なくとも３０〜４０ｍｍ以上の板厚が必要であることがわかる。
【００３６】  上板５をアルミニウム等の延性材料である金属で構成した場合には、降伏応力を超えてからも塑性変形によって破断せずに変形が増大するため、破断なしに荷重を受けることが可能となる。図７は、半導体パッケージ１００内部で短絡故障が生じ、内部圧力が上昇したときの状態を示す断面図である。
【００３７】  上板５を延性材料からなる金属で構成した場合には、締結部材６で固定された端部を支点として、上板５全体が大きく湾曲しながら変形することが可能となる。また、このように上板５が変形しながら荷重を受けることによって、固定部における荷重も緩和されるため、従来のような大荷重で押圧する機構を用いなくてもよい。さらに、荷重の大部分を締結部材６ａ、ｂで受けることになるため、シール接着剤９に加わる荷重は相対的に小さくなる。したがって、締結部材６ａ、ｂの内側に周状にシール接着剤９を塗布して上板５と外周側壁４を接合することにより、半導体パッケージ１００内部の内容物が、外部に噴出することを防ぐことが可能となる。
【００３８】（噴出物による外周側壁４の破壊防止）  図３に示すようにサブモジュール１のケース開放面２６が外周側壁４に直接対向しないように配置することで、サブモジュール１から噴出される高圧力が直接外周側壁４に作用することはなくなる。
【００３９】  サブモジュール１から噴出される内容物の噴射方向は、補強ケース２３により規制される。つまり、開放面２６の向きが噴射方向となる。つまり、半導体チップ２１の実装平面上には、補強ケース２３のケース開放面２６と対向する面（以降、噴出方向規面とする）が位置する。この噴出方向規面が噴出方向規制部材となり、サブモジュール１から噴出する内容物の噴出方向を規制する。半導体チップ２１が破裂した場合には、一部の内容物は噴出方向規面に衝突することで、噴出方向がケース開放面２６側へと変化する。加えて、ケース開放面２６を外周側壁４へと向けないことで、外周側壁４は直接高圧力の荷重に耐える強度は不要となり、半導体パッケージ１００の内圧上昇に対して破断しない程度の強度で十分となる。
【００４０】  図８にサブモジュール１のケース開放面２６から噴出した内容物が外周側壁４に与える圧力と距離の関係を示した図である。この条件においては、噴出部から１５〜２５ｍｍ程度離れたところで、数百ｋＰａ程度となり、半導体チップ２１の破裂時における半導体パッケージ１００内部圧力と同程度となる。
【００４１】  したがって、外周側壁４をサブモジュール１のケース開放面２６から、２０ｍｍ程度の距離を確保することで、圧力による直接作用の影響を小さくすることができる。例えば、サブモジュール１の一辺が３０ｍｍの場合には、ケース開放面２６と、外周側壁４との間に他のサブモジュール１を介在させることで、噴出物の圧力による外周側壁４への影響を抑制することができる。
【００４２】  以上のように、本実施形態は、半導体チップ２１の短絡故障の際に電極板２２ａ、２２ｂの離間を防止させたことによる優れた運転継続性、及びサブモジュール１から噴出する内容物によるサブモジュール内の圧力上昇や噴出する内容物による半導体パッケージの破壊の効果を有する。それぞれの効果は、単独または複合的に影響することで、安全性や運転継続性に優れた半導体パッケージを実現することが可能となる。
【００４３】［２．第２実施形態］［２−１．構成］
【００４４】  以下では、図９を参照しつつ本実施形態に係る半導体パッケージについて説明する。図９は、第２の実施形態における半導体パッケージ１０１の部分断面図である。
【００４５】  本実施例においては、上板５に替えて、端部を折り曲げ加工した上板３１を配置する。このように上板３１の端部に折り曲げ部３１ａを設けることにより、上板３１が半導体パッケージ１０１の内圧上昇によって変形する際、変形を抑制するリブ効果を有することになる。
【００４６】［２−２．作用効果］  半導体チップ２４が破裂した際の圧力によって内容物が噴出する際には、外周側壁４と上板３１の接合部に隙間が生じることが要因となるため、本実施例のようにこの接合部近傍の曲げ剛性を上げることで、内容物の噴出を抑制しやすくなる。
【００４７】  同様の効果を得るために、上板の端部に折り曲げ部を設けるのではなく、図１０に示すように、上板３２の外周側壁４の内側に凹凸部３２ａを設けることで、上板３２全体の曲げ剛性を向上させ、上板３２が半導体パッケージ１０２内部の圧力上昇で膨らむ変形を抑制することができる。このような構成とした場合でも、上板３２と外周側壁４の接合部における隙間を抑制する効果が得られ、内容物の噴出を抑制しやすくなる。
【００４８】［３．第３実施形態］［３−１．構成］
【００４９】  以下では、図１１を参照しつつ本実施形態に係る半導体パッケージについて説明する。図１１は、第３の実施形態における半導体パッケージ１０３の部分断面図である。
【００５０】  本実施例において上板５に替えて、端部の接着剤塗布部に突出部３３ａを有する上板３３を配置する。また、突出部３３ａに勘合する形で外周側壁４の上板接合部に凹部３４ａを設け、突出部３３ａと凹部３４ａによって、ラビリンス構造を形成する。さらに、上板突出部３３ａと外周側壁凹部３４ａで形成される隙間を埋めるようにシール接着剤３５を充填する。
【００５１】［３−２．作用効果］  このような構成とすることにより、上板突出部３３ａが曲げ変形に対してリブ効果を得るため、曲げ剛性が向上し、上板３３の変形が抑制されることで、外周側壁４との間に隙間が生じることを抑制することができる。
【００５２】  また、仮に上板３４が変形して外周側壁４との間に隙間が生じようとした場合でも、突出部３３ａと凹部３４ａによってラビリンス構造が形成されるとともに、その隙間に接着剤３５が充填されていることから、突出部３３ａが凹部３４ａから抜けるほど大きな変形とならない限り、内容物が半導体パッケージ１０３の外部に噴出することをなくすことができる。
【００５３】［４．他の実施形態］  以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５４】  また、第１実施形態乃至第３実施形態に記載した上板５、上板３１、上板３２及び上板３３の電位を、半導体チップ２１の片側の電位と等電位にする構成を加えても良い。
【００５５】  図１２は、本実施形態の一例を示す断面図であり、図３におけるＡ−Ａ断面図である。図１２においては、電極板２２ｂは半導体チップ２１のエミッタと接続される。上板５は、バスバー７と電位接続部Ｂにおいて、電気的に接続する。上板５は、電極板２２ｂ及びバスバー７を含む通電経路ＥＰ１と等電位となっている。
【００５６】  このようにすることで、上板５を、電極板２２ｂ及びバスバー７を含む通電経路ＥＰ１や、電極板２２ｂ、電極ポスト２１２、及び冷却器３２を経由する電気経路ＥＰ２から独立させないことが可能となる。例えば、上板５が他の通電回路に含まれない場合には、周囲の環境の影響により、いくらかの電位が生じることになる。大きな電位が生じると、思いがけない放電が起きる可能性があり、安全上問題がある。
【００５７】  そこで、上板５の電位を制御するために、接地側の通電経路ＥＰ１及び電気経路ＥＰ２の何れかと接続する。これにより、上板５の電位を制御した半導体パッケージ１００を実現することが可能となる。
【符号の説明】
【００５８】１００…半導体パッケージ１０１…半導体パッケージ１０２…半導体パッケージ１０３…半導体パッケージ１…サブモジュール２…電極ポスト３…冷却器４…外周側壁５…上板６…締結部材７…バスバー８…絶縁樹脂１１…電極端子２１…半導体チップ２２…電極板２３…補強ケース２５…ゲートコネクタ２６…ケース開放面３１…上板３１ａ…折り曲げ部３２…上板３２ａ…凹凸部３３…上板３３ａ…突出部３３ａ…上板突出部３４…上板３４ａ…凹部３４…外周側壁３４ａ…外周側壁凹部３５…シール接着剤
【図１】
2020070899.tif 000003
【図２】
2020070899.tif 000004
【図３】
2020070899.tif 000005
【図４】
2020070899.tif 000006
【図５】
2020070899.tif 000007
【図６】
2020070899.tif 000008
【図７】
2020070899.tif 000009
【図８】
2020070899.tif 000010
【図９】
2020070899.tif 000011
【図１０】
2020070899.tif 000012
【図１１】
2020070899.tif 000013
【図１２】
2020070899.tif 000014
【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
内部に半導体チップを有する複数のサブモジュールを有し、
電気的に並列接続された前記サブモジュールを内包する半導体パッケージにおいて、
前記サブモジュールと対になり、前記サブモジュールを支持する電極ポストと、
前記電極ポストを一方の面に固定する平板状の金属製の台座と、
前記台座より立設し、前記複数のサブモジュールの周囲を囲う樹脂製の外周側壁と、
前記外周側壁が形成する開口を塞ぐ金属製の上板と、
前記台座と前記外周側壁を締結により固定する第１締結部材と、
前記上板と前記外周側壁を締結により固定する第２締結部材と、
を備え、
前記台座、外周側壁、及び上板は、複数の前記サブモジュールを内包する空間を密閉し、
前記サブモジュールは、前記半導体チップの実装平面において、前記半導体チップを中心に放射状に延長した延長面の少なくとも一部に、金属製の噴出方向規制部材が配置されることを特徴とする半導体パッケージ。
【請求項２】
前記台座と前記外周側壁、及び前記上板と前記外周側壁の少なくとも一方は、前記締結部材による締結とともに、接着剤で接着されていること、
を特徴とする請求項１記載の半導体パッケージ。
【請求項３】
前記外周側壁は、
前記台座または前記上板と接触する前記外周側壁の接触面の一部を削る切欠き部を備え、
前記切欠き部には、前記接着剤が硬化することで形成される接着剤硬化層が形成されることを特徴とする請求項２に記載の半導体パッケージ。
【請求項４】
（削除）
【請求項５】
前記サブモジュールは、前記半導体チップの実装平面に対して平行、且つ前記半導体チップの上下に配置される２枚の電極と、
前記２枚の電極を挟んで配置される２枚の金属板を有する電極離間抑制部材と、
を備え、
前記噴出方向規制部材は、前記電極離間抑制部材の１つであり、電極離間抑制部材である２枚の金属板の相対位置を固定することを特徴とする請求項４に記載の半導体パッケージ。
【請求項６】
前記電極離間抑制部材は、１面に開口を設けた開放面を有する金属製の直方体であり、
前記噴出方向規制部材は、開放面と対向する前記直方体の１つの面であり、
前記２枚の金属板は、前記噴出方向規制部材となる前記直方体の１つの面から立設する４つ面のうち、平行となる２つの面を構成する金属板であること、
を特徴とする請求項５に記載の半導体パッケージ。
【請求項７】
前記半導体チップの実装平面において、
前記半導体チップを中心に放射状に延長した延長面の少なくとも一部には、金属部材が配置されない開放面を有し、
前記開放面と前記外周側壁との間に他のサブモジュールを配置したこと、
を特徴とする請求項１乃至６の何れか１項に記載の半導体パッケージ。
【請求項８】
前記上板及び前記台座の少なくとも一方は、端部もしくは内部の一部が屈曲する屈曲部を備えること、
を特徴とする請求項１乃至７の何れか１項に記載の半導体パッケージ。
【請求項９】
前記上板及び前記台座の少なくとも一方は、端部もしくは内部の一部に突出部を備えること、
を特徴とする請求項１乃至８の何れか１項に記載の半導体パッケージ。
【請求項１０】
前記外周側壁において、
前記前記上板及び前記台座との接触面の少なくとも一方には、前記突出部と嵌合する凹部が形成されること、
を特徴とする請求項９に記載の半導体パッケージ。
【請求項１１】
前記凹部の内部には、前記突出部が挿入されると共に接着剤硬化層が形成されること、
を特徴とする請求項１０に記載の半導体パッケージ。
【国際調査報告】
2020070899.tif 000015
2020070899.tif 000016
2020070899.tif 000017
2020070899.tif 000018